(57)【要約】【課題】相手先デバイスに応じてコーデックを切替える処理を簡素化し、相手先デバイスとの間で回線が接続してから会話が可能となるまでの時間を短縮できるインターネット電話機を提供する。【解決手段】メモリ１６には、ＩＰアドレスから相手先の通信会社を特定するためのデータと、各通信会社の回線網で使用されている信号のコーデックとが記憶されている。ＣＰＵ１５は、相手先デバイスのＩＰアドレスから相手先デバイスで使用されているコーデックの種類を判定し、その結果に応じてビデオ−オーディオプロセッサで信号処理する際に使用するコーデックを決定する。これにより、相手先デバイスから受信した信号を解析してコーデックを特定する処理が不要となり、相手先デバイスとの間で回線が接続してから実際に会話ができる状態になるまでの時間が短くてすむ。【選択図】　図２
2004120282.tif 000002
【特許請求の範囲】
【請求項１】
音声信号及び映像信号の符号化／復号化を行う信号符号化／復号化処理部と、
インターネットを介し相手先デバイスとの間で通信回線を接続して、前記信号符号化／復号化処理部に前記相手先デバイスから受信した受信信号を伝達し、かつ前記信号符号化／復号化処理部から出力された送信信号を前記通信回線を介して前記相手先デバイスに送信するフロントエンド部と、
前記信号符号化／復号化処理部及び前記フロントエンド部を制御する制御部と
を有し、
前記制御部は、前記相手先デバイスのＩＰアドレスから前記相手先デバイスの種類を特定し、その結果に応じて前記信号符号化／復号化処理部で信号処理する際に使用するコーデックを決定することを特徴とするインターネット電話機。
【請求項２】
更に、ＩＰアドレスとコーデックの種類とを対応付けたデータを記憶した記憶部を有し、前記制御部は前記記憶部を参照して、前記信号符号化／復号化処理部で信号処理する際に使用するコーデックを決定することを特徴とする請求項１に記載のインターネット電話機。
【請求項３】
前記フロントエンド部は、ＤＳＲＣ（Ｄｅｄｉｃａｔｅｄ　Ｓｈｏｒｔ　Ｒａｎｇｅ　Ｃｏｍｍｕｎｉｃａｔｉｏｎ　：狭域通信）を介して前記インターネットに接続することを特徴とする請求項１に記載のインターネット電話機。
【請求項４】
前記制御部は、前記ＩＰアドレスから前記相手先デバイスの通信速度を調べ、その結果に応じて前記信号符号化／復号化処理部で信号を符号化するときのビットレートを決定することを特徴とする請求項１に記載のインターネット電話機。
【発明の詳細な説明】
【０００１】
【発明の属する技術分野】
本発明は、インターネットを利用したインターネット電話機に関し、特に接続先に応じて信号処理のコーデックを変更する機能を備えたインターネット電話機に関する。
【０００２】
【従来の技術】
従来の電話回線のみを使用する一般加入電話システムに比べて通信コストを大幅に削減することができることから、近年、インターネットを利用するＩＰ（Ｉｎｔｅｒｎｅｔ　Ｐｒｏｔｏｃｏｌ　）電話システムが注目されている。
【０００３】
ＩＰ電話システムでは、ＩＰ電話機同士、又はＩＰ電話機と一般加入電話機との間でリアルタイムの双方向通信が可能であり、ＩＰ電話機からＩＰ電話機への発呼だけでなく、ＩＰ電話機から一般加入電話機への発呼や、一般加入電話機からＩＰ電話機への発呼も可能である。
【０００４】
ＩＰ電話システムでは、通常、ＩＰアドレスにより相手先デバイスを指定するが、ゲートウェイサーバ等にＩＰアドレス管理テーブルを持たせておき、一般加入電話システムと同様に、電話番号を使用して相手先デバイスを指定することも提案されている（例えば、特開２００１−１７７５７７号公報）。
【０００５】
従来、インターネットではＩＰｖ４と呼ばれるプロトコルにより、各デバイスに３２ビットのＩＰアドレスが割り当てられている。しかし、近年、インターネットに接続されるデバイスの急速な増加に伴ってＩＰアドレスの不足が懸念されるようになり、ＩＰｖ６と呼ばれる１２８ビットのプロトコルの採用が予定されている。これにより、インターネットに接続される極めて多くのデバイスにそれぞれ固有のＩＰアドレスを付与することが可能になり、ＩＰ電話機の普及がより一層促進されるものと予想される。
【０００６】
ＩＰ電話システムでは、ＩＰ電話機として、コンピュータ及びＰＤＡ（Ｐｅｒｓｏｎａｌ　Ｄｉｇｉｔａｌ　Ａｓｓｉｓｔａｎｔ：携帯情報端末）など、種々のデバイスを使用することが可能である。また、ナビゲーション装置等の車載用機器にもＩＰ電話機の機能を搭載することが提案されている。
【０００７】
車載用機器をインターネットに接続する方法の一つにＤＳＲＣ（Ｄｅｄｉｃａｔｅｄ　Ｓｈｏｒｔ　Ｒａｎｇｅ　Ｃｏｍｍｕｎｉｃａｔｉｏｎ　：狭域通信）がある。ＤＳＲＣは自動料金収受システム（ＥＴＣ：Ｅｌｅｃｔｒｏｎｉｃ　Ｔｏｌｌ　Ｃｏｌｌｅｃｔｉｏｎ　Ｓｙｓｔｅｍ　）に使用されている技術であるが、駐車場やガソリンスタンド等にもＤＳＲＣの基地局を設置することが検討されており、これが実現すれば駐車場等に駐車中の車両からＤＳＲＣを介してインターネットに接続することが可能になる。
【０００８】
図１は、ＩＰ電話システムを示す模式図である。インターネットには、ＩＳＰ（インターネットサービスプロパイダ）、ＣＤＭＡ（Ｃｏｄｅ　Ｄｉｖｉｓｉｏｎ　Ｍｕｌｔｉｐｌｅ　Ａｃｃｅｓｓ　）及びＰＤＣ（Ｐｅｒｓｏｎａｌ　Ｄｉｇｉｔａｌ　Ｃｅｌｌｕｌａｒ　）等の携帯電話回線網、一般公衆電話回線網（ＰＳＴＮ：Ｐｕｂｌｉｃ　Ｓｗｉｔｃｈｅｄ　Ｔｅｌｅｐｈｏｎｅ　Ｎｅｔｗｏｒｋ　）並びにＤＳＲＣ通信回線網等が接続される。これらの携帯電話回線網、一般電話回線網及びＤＳＣＲ通信回線網は、それぞれ電話会社又は通信会社をゲートウェイとしてインターネットに接続される。以下、これらのＩＳＰ、電話会社及び通信会社を、単に「通信会社」という。
【０００９】
ＩＳＰには、ノート型パーソナルコンピュータ、ディスクトップ型パーソナルコンピュータ及びＰＤＡ等がｘＤＳＬ（ｘ　Ｄｉｇｉｔａｌ　Ｓｕｂｓｃｒｉｂｅｒ　Ｌｉｎｅ　）等の通信回線を介して接続される。ＣＤＭＡ及びＰＤＣ等の携帯電話回線網には、携帯電話基地局を介して携帯電話が接続される。一般公衆電話回線網には、電話交換局を介して一般加入電話やパーソナルコンピュータが接続される。また、ＤＳＲＣ通信網には、ＤＳＲＣ基地局を介してＩＰ電話機能を有する車載用機器が接続される。
【００１０】
【特許文献１】
特開２００１−１７７５７７号公報
【００１１】
【発明が解決しようとする課題】
ところで、インターネット上でのマルチメディア（音声、動画及びその他のデータ等）情報の通信プロトコルとして、ＩＴＵ−Ｔ（Ｉｎｔｅｒｎａｔｉｏｎａｌ　Ｔｅｌｅｃｏｍｍｕｎｉｃａｔｉｏｎ　Ｕｎｉｏｎ　Ｔｅｌｅｃｏｍｍｕｎｉｃａｔｉｏｎ　Ｓｔａｎｄａｒｄｉｚａｔｉｏｎ　ｓｅｃｔｏｒ）により勧告されたＨ．３２３がある。ＩＰ電話システムでは、一般的にＨ．３２３に規定されたコーデックを用いて映像信号及び音声信号を信号処理している。
【００１２】
しかし、ＩＰ電話システムでは、Ｈ．３２３以外の形式で信号処理されたデータで通信を行う場合もある。例えば、携帯電話では、動画の信号処理にＭＰＥＧ４のコーデックが一般的に使用されている。従って、ＩＰ電話機では、相手先から送られてきた信号を解析して使用されているコーデックを判別し、その結果に応じた信号処理を実行する必要がある。
【００１３】
しかし、送られてきた信号を解析して使用されているコーデックを判別する処理は、デバイスによっては処理が重く時間がかかるため、相手先デバイスに回線が接続しても即座に会話を開始することができないことがある。ゲートウェイとなる通信会社のサーバでこのような処理を行うことも考えられるが、多数の回線を同時に処理する能力を有する大規模な設備が必要となり、通信コストの増加を招く。
【００１４】
以上から、本発明の目的は、相手先デバイスに応じてコーデックを切替える処理を簡素化し、相手先デバイスとの間で回線が接続してから会話が可能となるまでの時間を短縮できるインターネット電話機を提供することである。
【００１５】
【課題を解決するための手段】
上記した課題は、音声信号及び映像信号の符号化／復号化を行う信号符号化／復号化処理部と、インターネットを介し相手先デバイスとの間で通信回線を接続して、前記信号符号化／復号化処理部に前記相手先デバイスから受信した受信信号を伝達し、かつ前記信号符号化／復号化処理部から出力された送信信号を前記通信回線を介して前記相手先デバイスに送信するフロントエンド部と、前記信号符号化／復号化処理部及び前記フロントエンド部を制御する制御部とを有し、前記制御部は、前記相手先デバイスのＩＰアドレスから前記相手先デバイスの種類を特定し、その結果に応じて前記信号符号化／復号化処理部で信号処理する際に使用するコーデックを決定することを特徴とするインターネット電話機により解決する。
【００１６】
本発明においては、ＩＰアドレスから相手先デバイスで使用されているコーデックの種類を判定する。例えば、ＩＰ電話機から他のＩＰ電話機へ発信する場合、相手先ＩＰ電話機のＩＰアドレスを入力する。ＩＰアドレスの一部のビット（複数ビット）を通信会社毎に割り当てた場合、ＩＰアドレスから相手先デバイスの種類がわかり、更に相手先デバイスで使用されているコーデックを知ることができる。従って、制御部は、相手先デバイスに対応するコーデックで信号の符号化／復号化を行うように信号符号化／復号化処理部を制御すればよく、相手先デバイスから送られてくる信号を解析してコーデックの種類を検出する処理が不要となる。着信の場合も、相手先デバイスから送られてきた信号からＩＰアドレスを抽出し、そのＩＰアドレスから相手先デバイスで使用されているコーデックを調べればよく、相手先デバイスから送られてくる信号を解析してコーデックの種類を検出する処理が不要である。
【００１７】
これにより、相手先デバイスとの間で回線が接続してから会話を開始できるようになるまでの時間が短縮される。
【００１８】
【発明の実施の形態】
以下、本発明の実施の形態について、添付の図面を参照して説明する。
【００１９】
図２は、本発明の実施の形態の車載用インターネット電話機（ＩＰ電話機）の構成を示すブロック図である。なお、以下の例では、ＩＰアドレスのうちの特定のビット（複数ビット）の値が通信会社毎に割り当てられているものとする。従って、ＩＰアドレスのうちの特定のビットの値を調べることによりゲートウェイとなる通信会社が判明する。
【００２０】
図２に示すように車載用インターネット電話機は、ＤＳＲＣ基地局との間でデータの送受信を行うフロントエンド部１と、送信データ又は受信データの処理を行うデータ処理部２とにより構成される。実際の車載用インターネット電話は、ナビゲーション装置等の車載用機器にハードウェア及びソフトウエアを追加して、車載用機器の機能の一部として実現される。
【００２１】
フロントエンド部１は、送受信機１１及び通信制御プロセッサ１２により構成されている。送受信機１１は、信号受信時にはＤＳＲＣ信号の検波及び復調を行い、キャリア検出信号及び受信データを通信制御プロセッサ１２に伝達する。また、信号送信時には、通信制御プロセッサ１２から入力した送信データをＲＦ変調し、アンテナを介してＤＳＲＣ基地局へ送信する。
【００２２】
通信制御プロセッサ１２は、送受信機１１から受信データを入力すると、受信データを制御信号とビットストリームとに分離して信号処理部２に出力する。また、通信制御プロセッサ１２は、キャリア検出信号に応じて送受信機１１の電力制御を行う。更に、通信制御プロセッサ１２は、信号処理部２からビットストリーム及び制御信号が入力されると、ビットストリームに制御信号を付加してパケット毎に分割し、送信データとして送受信機１１に出力する。
【００２３】
データ処理部２は、ビデオ／オーディオプロセッサ１３、ブリッジ１４、ＣＰＵ１５、メモリ１６、撮影用のカメラ１７、液晶パネル等の映像表示装置１８、通話用マイクロフォン１９、通話用スピーカー２０及び入力部２１により構成されている。
【００２４】
ビデオ／オーディオプロセッサ１３は、信号受信時には通信制御プロセッサ１２からブリッジ１４を介して送られてきたビットストリームを映像信号及び音声信号に復調（デコード）し、表示装置１８及びスピーカー２０に出力する。
【００２５】
また、ビデオ／オーディオプロセッサ１３は、信号送信時にはカメラ１７及びマイクロフォン１９から入力した映像信号及び音声信号を符号化（エンコード）してビットストリームを生成し、このビットストリームをブリッジ１４を介して通信制御プロセッサ１２に出力する。ビデオ／オーディオプロセッサ１３の詳細は後述する。
【００２６】
ブリッジ１４はＣＰＵ１５によって制御され、バスラインの切替を行う。入力部２１には、電話をかける際に相手先のＩＰアドレスを入力するための数字ボタンなどの複数のボタンが設けられている。
【００２７】
メモリ１６には、ＩＰアドレスから相手先の通信会社を特定するためのデータと、各通信会社の回線網で使用されている信号のコーデックとが記憶されている。ＣＰＵ１５は、ビデオ／オーディオプロセッサ１３、ブリッジ１４、メモリ１６及び通信制御プロセッサ１２を制御する。
【００２８】
図３は、ビデオ／オーディオプロセッサ１３の構成を示すブロック図である。この図３に示すように、ビデオ／オーディオプロセッサ１３は、ストリームバッファ３１、信号切替器３２、ＭＰＥＧ信号処理部３３、Ｈ．３２３信号処理部３４及び信号切替器３５により構成されている。また、ＭＰＥＧ信号処理部３３はＭＰＥＧエンコード部３３ａ及びＭＰＥＧデコード部３３ｂにより構成され、Ｈ．３２３信号処理部３４はＨ．３２３エンコード部３４ａ及びＨ．３２３デコード部３４ｂにより構成されている。
【００２９】
ストリームバッファ３１には、接続相手先から送られてきたビットストリーム（受信ビットストリーム）や、接続相手先に送るビットストリーム（送信ビットストリーム）が一時的に保存される。ＭＰＥＧエンコード部３３ａは、信号切替器３５を介してカメラ１７及びマイクロフォン１９から出力された信号が入力されると、ＭＰＥＧのコーデックを使用して符号化（エンコード）し、送信ビットストリームを生成する。このビットストリームは、信号切替器３２を介してストリームバッファ３１に送られる。また、ＭＰＥＧデコード部３３ｂは、信号切替器３２を介してストリームバッファ３１から受信ビットストリームを入力すると、ＭＰＥＧのコーデックを使用してビットストリームを復号化（デコード）し、映像信号及び音声信号を出力する。これらの映像信号及び音声信号はそれぞれ信号切替器３５を介して表示装置１８及びスピーカー２０に伝達される。
【００３０】
これと同様に、Ｈ．３２３エンコード部３４ａは、信号切替器３５を介してカメラ１７及びマイクロフォン１９から出力された信号が入力されると、Ｈ．３２３のコーデックを使用して符号化（エンコード）して送信ビットストリームを生成する。また、Ｈ．３２３デコード部３４ｂは、信号切替器３２を介してストリームバッファ３１から受信ビットストリームを入力すると、Ｈ．３２３のコーデックを使用してビットストリームを復号化（デコード）する。
【００３１】
信号切替器３２，３５は、ＣＰＵ１５からの切替信号に応じてビットストリーム、音声信号及び映像信号の伝達経路を切替える。すなわち、信号切替器３２，３５は、信号受信時には、ストリームバッファ３１に格納された受信ビットストリームをＭＰＥＧ処理部３３及びＨ．３２３処理部３４のいずれか一方に伝達し、ＭＰＥＧ処理部３３及びＨ．３２３処理部３４のいずれか一方から出力された映像信号及び音声信号をそれぞれ表示装置１８及びスピーカー２０に伝達する。また、信号切替器３２，３５は、信号送信時には、カメラ１７及びマイクロフォン１９から出力された音声信号及び映像信号をＭＰＥＧ処理部３３及びＨ．３２３処理部３４のいずれか一方に伝達し、ＭＰＥＧ処理部３３及びＨ．３２３処理部３４のいずれか一方から出力された送信ビットストリームをストリームバッファ３１に伝達する。
【００３２】
図４は、本実施の形態のＩＰ電話機の発信時の動作を示すフローチャートである。
【００３３】
まず、ステップＳ１１において、ユーザは入力部２１の数字ボタン等を操作して接続相手先のＩＰアドレスを入力する。そうすると、ステップＳ１２に移行し、ＣＰＵ１５は、メモリ１６を参照してＩＰアドレスから相手先の使用する通信会社を調べる。相手先の使用する通信会社がわかれば、相手先デバイスの種類を特定することができる。
【００３４】
次に、ステップＳ１３に移行して、ＣＰＵ１５はメモリ１６を参照して相手先のデバイスに対応したコーデックと通信速度とを調べる。ここでは、相手先デバイスが携帯電話会社の回線網に接続されている携帯電話であり、ＭＰＥＧ４形式のデータによる通信が要求されているものとする。
【００３５】
その後、通信制御プロセッサ１２では、ステップＳ１４において、ＣＰＵ１５から入力した相手先ＩＰアドレスの電話機の発呼を開始する。そして、接続相手先に回線が接続すると、ステップＳ１５に移行して、相手先のデバイスに対応したコーデックで信号処理したデータを相手先デバイスに送信する。すなわち、ＣＰＵ１５はビデオ／オーディオプロセッサ１３を制御して、ビデオカメラ１７及びマイクロフォン１９から入力された映像信号及び音声信号をＭＰＥＧ４エンコード部３３ａでエンコードする。このとき、相手先の通信速度に応じたビットレートで信号がエンコードされる。そして、ＭＰＥＧ４エンコード部３３ａから出力されたビットストリームはストリームバッファ３１に一時的に蓄積され、通信制御プロセッサ１２で順次送信データに変換され、送受信機１１及びＤＳＲＣ基地局を介して相手先デバイスに送信される。
【００３６】
図５は、本実施の形態のＩＰ電話機の受信時の動作を示すフローチャートである。
【００３７】
まず、ステップＳ２１で着信を検出すると、ステップＳ２２に移行して、通信制御プロセッサ１２は受信信号から相手先のＩＰアドレスを取得し、ＣＰＵ１５に通知する。その後、ステップＳ２３に移行し、ＣＰＵ１５はメモリ１６を検索してＩＰアドレスから相手先の使用する通信会社を調べる。相手先の使用する通信会社がわかれば、相手先のデバイスの種類を特定することができる。また、ＣＰＵ１５はメモリ１６を参照して、相手先デバイスで使用されているコーデックを調べる。
【００３８】
その後、ステップＳ２４に移行し、ＣＰＵ１５は相手先デバイスで使用されている信号のコーデックに応じて信号切替器３２，３５を制御する。ここでは、相手先のデバイスが携帯電話会社の回線網に接続された携帯電話であり、ＭＰＥＧ４形式のデータによる通信が要求されているものとする。従って、ＣＰＵ１５は、信号切替器３２，３５を制御し、ＭＰＥＧ処理部３３で信号処理が行われるようにする。
【００３９】
次いで、ステップＳ２５に移行し、相手先デバイスから受信した信号をＭＰＥＧ信号処理部３３で信号処理し、表示装置１８及びスピーカー２０に映像信号及び音声信号に出力される。
【００４０】
本実施の形態では、ＩＰアドレスから相手先で信号処理に使用されているコーデックを調べて、相手先のデバイスに応じた適切なコーデックを用いて信号処理部で信号を処理する。これにより、信号を解析して信号処理に使用されているコーデックを確定する場合に比べＩＰ電話機での処理が簡単になり、相手先デバイスに回線が接続してから短時間で会話が可能になる。
【００４１】
また、例えば通信速度が低い携帯電話に高解像度の映像を送ると信号処理に多大な時間を要し、映像の間引きや会話の中断が発生するが、本実施の形態では、相手先のデバイスの能力に応じて適切なビットレートで信号を処理するため、動画や音声をスムーズに再生することができる。
【００４２】
更に、本実施の形態では、ＤＳＲＣを介してインターネットに接続するので、４Ｍｂｐｓ程度の高速通信が可能であり、携帯電話を介してインターネットに接続する場合に比べて通信料金の低減が見込まれる。
【００４３】
なお、上記実施の形態ではＩＰアドレスから通信会社を特定するためのデータ及び各通信会社の回線網で使用されている信号のコーデックのデータがいずれもメモリ１６に格納されているものとしたが、これらのデータはゲートウェイとなる通信会社のサーバ、又はインターネット上のサーバに格納されていてもよい。
【００４４】
また、本実施の形態では、発信時にＩＰアドレスを直接入力するものとしたが、電話番号を入力するようにしてもよい。この場合、例えば特開２００１−１７７５７７号公報に記載されているように、電話番号をＩＰアドレスに変換するためのデータをゲートウェイサーバ等に格納しておくことが必要となる。
【００４５】
図６（ａ）は、本実施の形態のＩＰ電話機と一般加入電話機との間の音声のみによる通話を示す模式図である。本実施の形態のＩＰ電話機は、ＩＰアドレスから相手先デバイスが一般加入電話機であると判断した場合、音声のみの通話とする。なお、この例では、ＩＰ電話機では電話番号を入力し、ゲートウェイサーバで電話番号をＩＰアドレスに変換している。
【００４６】
図６（ｂ）は、本実施の形態のＩＰ電話機とパーソナルコンピュータを使ったＩＰ電話機との間の音声のみによる通話を示す模式図である。本実施の形態のＩＰ電話機は、ＩＰアドレスから相手先デバイスがパーソナルコンピュータ（ＶｏＩＰ）であると判断した場合、Ｈ．３２３のコーデックを使用して通話を行う。
【００４７】
図６（ｃ）は、本実施の形態のＩＰ電話機と携帯電話との間の音声及び映像による通話を示す模式図である。本実施の形態のＩＰ電話機は、ＩＰアドレスから相手先デバイスがＭＰＥＧ４形式のデータで通話を行う携帯電話であると判断した場合、ＭＰＥＧ４のコーデックを使用して通話を行う。
【００４８】
【発明の効果】
以上説明したように、本発明によれば、ＩＰアドレスから相手先デバイスで使用されているコーデックの種類を判定し、その結果に応じて信号符合化／復号化処理部で信号処理する際に使用するコーデックを決定するので、相手先デバイスから受信した信号を解析してコーデックを特定する処理が不要であり、相手先デバイスとの間で回線が接続してから実際に会話ができる状態になるまでの時間が短くてすむという効果を奏する。
【図面の簡単な説明】
【図１】図１は、ＩＰ電話システムを示す模式図である。
【図２】図２は、本発明の実施の形態の車載用インターネット電話機（ＩＰ電話機）の構成を示すブロック図である。
【図３】図３は、ビデオ／オーディオプロセッサの構成を示すブロック図である。
【図４】図４は、本実施の形態のＩＰ電話機の発信時の動作を示すフローチャートである。
【図５】図５は、本実施の形態のＩＰ電話機の受信時の動作を示すフローチャートである。
【図６】図６（ａ）は本発明実施の形態のＩＰ電話機と一般加入電話機との間の音声のみによる通話を示す模式図、図６（ｂ）は本発明の実施の形態のＩＰ電話機とパーソナルコンピュータを使ったＩＰ電話機との間の音声のみによる通話を示す模式図、図６（ｃ）は本発明の実施の形態のＩＰ電話機と携帯電話との間の音声及び映像による通話を示す模式図である。
【符号の説明】
１…フロントエンド部、
２…データ処理部、
１１…送受信機、
１２…通信制御プロセッサ、
１３…ビデオ／オーディオプロセッサ、
１４…ブリッジ、
１５…ＣＰＵ，
１６…メモリ、
１７…カメラ、
１８…表示装置、
１９…マイクロフォン、
２０…スピーカー、
２１…入力部、
３１…ストリームバッファ、
３２，３５…信号切替器、
３３…ＭＰＥＧ信号処理部、
３３ａ…ＭＰＥＧエンコード部、
３３ｂ…ＭＰＥＧデコード部、
３４…Ｈ．３２３信号処理部、
３４ａ…Ｈ．３２３エンコード部、
３４ｂ…Ｈ．３２３デコード部。
【図１】
2004120282.tif 000003
【図２】
2004120282.tif 000004
【図３】
2004120282.tif 000005
【図４】
2004120282.tif 000006
【図５】
2004120282.tif 000007
【図６】
2004120282.tif 000008